(57)【要約】【課題】注射針用キャップ成形品からバリを簡単な機構で効率的に除去できる装置を提供する。【解決手段】キャップ成形品の内部に挿入可能なピンと、キャップ成形品に一体に付着したバリの背面側に当接する受板と、キャップ成形品を内部に挿入可能な筒状を呈して、その先端にバリを押圧してキャップ成形品からバリを切り離し可能な刃部を有する抜型とを備える。また、スプリングの力で抜型の刃部をバリに押し付けて切断する。また、抜型の内部に挿入してバリから切り離されたキャップ成形品をエアーの流圧で抜型から排出する。【選択図】        図１
2004181900.tif 000002
【特許請求の範囲】
【請求項１】
先端を開口した中空パイプ状を呈してその先端縁に刃部を設けた抜型と、キャップ成形品を外周部に被せて抜型へ向って接近することによりキャップ成形品を抜型の内部に挿入させるピンと、キャップ成形品が抜型の内部に挿入してピンが抜型から離れる方向へ後退するときにバリの背面側に当接してキャップ成形品が抜型の内部に挿入した状態を維持する押え板と、キャップ成形品が抜き型の内部に挿入した状態で押え板に代わってバリの背面側に当接することにより抜型の刃部によるバリの切断を可能とする受板とが備えられたことを特徴とする注射針用キャップ成形品におけるバリの除去装置。
【請求項２】
キャップ成形品が抜型の内部に挿入してピンが抜型から離れる方向へ後退するときに押え板を押圧してバリの背面側に当接した状態を維持させるスプリングが備えられた請求項１記載の注射針用キャップ成形品におけるバリの除去装置。
【請求項３】
抜型の内部に挿入してバリから切り離されたキャップ成形品をエアーの圧力で抜型から排出するように構成された請求項１又は２記載の注射針用キャップ成形品におけるバリの除去装置。
【発明の詳細な説明】
【０００１】
【発明の属する技術分野】
本発明は、注射針用キャップ成形品におけるバリの除去装置に関する。
【０００２】
【従来の技術】
注射もしくは注入する前は注射針に被せて外部から遮断しておき、注射もしくは注入するときに注射針の針先で突き破って使用する注射針用キャップが存在する。
【０００３】
この注射針用キャップを金型により多数個取り方式で成形する場合、金型のキャビティに連通したベントに入り込んだ材料によりバリが形成されて、図５に示すように、複数のサック状のキャップ成形品１…がシート状のバリ２を介して一体的に連続した状態となる。したがって、このバリ２をキャップ成形品１…から除去して、複数のキャップ成形品１…を分離する必要がある。しかしながら、このバリを効率良く除去できて機構が簡単な装置が存在しなかった。
【０００４】
なお、出願人は先行技術の調査によって関連する先行技術文献を見出すことができなかった。
【０００５】
【発明が解決しようとする課題】
本発明は、注射針用キャップ成形品からバリを簡単な機構で効率的に除去できる装置の提供を課題とする。
【０００６】
【課題を解決するための手段】
上記課題を解決するために、本発明の注射針用キャップ成形品におけるバリの除去装置は、先端を開口した中空パイプ状を呈してその先端縁に刃部を設けた抜型と、キャップ成形品を外周部に被せて抜型へ向って接近することによりキャップ成形品を抜型の内部に挿入させるピンと、キャップ成形品が抜型の内部に挿入してピンが抜型から離れる方向へ後退するときにバリの背面側に当接してキャップ成形品が抜型の内部に挿入した状態を維持する押え板と、キャップ成形品が抜き型の内部に挿入した状態で押え板に代わってバリの背面側に当接することにより抜型の刃部によるバリの切断を可能とする受板とが備えられたことを特徴とする、という構成にしたものである。
【０００７】
また、本発明の注射針用キャップ成形品におけるバリの除去装置は、キャップ成形品が抜型の内部に挿入してピンが抜型から離れる方向へ後退するときに押え板を押圧してバリの背面側に当接した状態を維持させるスプリングが備えられた構成することも可能である。
【０００８】
また、本発明の注射針用キャップ成形品におけるバリの除去装置は、抜型の内部に挿入してバリから切り離されたキャップ成形品をエアーの圧力で抜型から排出するように構成することも可能である。
【０００９】
【発明の実施の形態】
以下、図を用いて本発明の実施の形態について説明する。まず、注射針用キャップはイソプレンゴム等の合成ゴムなどを材料として、金型により多数個取り方式で成形される。そして、成形後に金型から取り出したときは、図５に示すように、複数のサック状のキャップ成形品１…の根元にシート状のバリ２が一体的に付着している。すなわち、一枚のバリ２の上に複数のキャップ成形品１…が立設されたような形状になっている。なお、それぞれのキャップ成形品１…はバリ２の背面側に開口している。本発明の装置は、キャップ成形品１…からこのバリ２を除去して、各キャップ成形品１…を分離するものである。
【００１０】
本発明のバリ除去装置は、図１に示すように、複数のキャップ成形品１…の内部にバリ２の背面側の開口から挿入可能な、言い換えれば、キャップ成形品１…を外周部に被せることが可能な複数本のピン３…と、バリ２の背面側に当接される押え板４と、先端に開口を有する中空パイプ状でその内部に上記のピン３…に被せられたキャップ成形品１…を挿入可能とし、かつ、その先端縁に刃部５を設けた抜型６…が備えられている。また、バリ２を切断するときに使用する受板１７（図３参照）も備えられている。
【００１１】
また、本発明のバリ除去装置は、押え板４と、その背後の基板８との間にスプリング７を備えることができる。
【００１２】
図１に示すように、ピン３…は基板８から突出して、押え板４を貫通している。キャップ成形品１…はピン３…に被せるようにセットし、バリ２は押え板４の表面側（図面では下面側）に当接させる。
【００１３】
ピン３…と抜型６…は対向するように配置され、両者は接近可能となっている。もちろん、開離も可能である。
【００１４】
また、バリ２の背面側に当接した押え板４も抜型６…へ向って移動可能となっている。すなわち、ピン３…を突設した基板８にガイド軸９も突設して、そのガイド軸９に押え板４を貫通させ、押え板４がガイド軸９に案内されて基板８に平行な姿勢を維持しながらスライドするようになっている。
【００１５】
なお、上記のスプリング７はガイド軸９の外周部に取り付けることができる。
【００１６】
以下、本実施形態に係るバリ除去装置の作用について説明する。本実施形態に係るバリ除去装置を使用してバリを除去する際には、まず、押え板４を基板８に対し固定した状態で、すなわち、図１に示すようにスプリング７を圧縮したままの状態で、基板８を油圧等により抜型６…へ向って移動させる。
【００１７】
そして、ピン３…に被せたキャップ成形品１…が抜型６…の内部に挿入された状態で、基板８を停止させる。なお、ピン３…によってキャップ成形品１…を抜型６…の内部に完全挿入させることが望ましいが、キャップ成形品１…の形状によっては、その一部だけを抜型６…の内部に挿入した状態でも構わない場合がある。
【００１８】
上記のように、キャップ成形品１…が抜型６…の内部に挿入された状態で、押え板４を基板８に対し固定した状態を解除する。そして、基板８を抜型６…から離れる方向へ後退させる。このとき、図２に示すように、圧縮されていたスプリング７が伸長して押え板４を押圧するので、ピン１…がキャップ成形品１…から抜けても、キャップ成形品１…は押え板４により押えられているので、キャップ成形品１…が抜型６…に挿入された状態が維持される。なお、上記のように、キャップ成形品１…の一部だけが抜型６…の内部に挿入された状態でピン１…を抜いても、キャップ成形品１…の形状によっては、スプリング７が押え板４を介してキャップ成形品１…を押すので、キャップ成形品１…は抜型６…の内部に完全挿入されることになる。
【００１９】
次に、キャップ成形品１…が抜型６…に挿入された状態で、例えばターンテーブルなどにより抜型６…の位置を変えて、図３に示すように、上記の押え板４に代えて受板１７をバリ２の背面側に当接させる。そして、抜き型６の…先端の刃部５をバリ２に押し付ければ、受板１７が例えばまな板の役割を果たしてバリ２が切断される。
【００２０】
キャップ成形品１…からバリ２を切り取ったとき、キャップ成形品１…は抜型６…の内部に収まった状態を維持する。したがって、キャップ成形品１…を抜型６…から排出する必要がある。
【００２１】
キャップ成形品１…を抜型６…から排出するには、図４に示すような装置を使用することができる。この装置は、キャップ成形品１…をプール可能な貯蔵箱１１を備えている。この貯蔵箱１１は、キャップ成形品１…を受け止めてエアーを通過させる網状の底板１２を備え、また、上端部に上記の抜型６…を取り付けた支持板１０の掛止部１３を備えている。支持板１０は抜型６…が下向きとなるように掛止部１３にセットする。また、抜型６…を取り付けた支持板１０の上に被せて、その支持板１０の上方を密閉空間１４にすることができる蓋１５を備え、その蓋１５にはエアー吹込口１６を設けている。
【００２２】
蓋１５のエアー吹込口１６から密閉空間１４にエアーを流入させると、そのエアーは支持板１０の裏側から抜型６…の内部に流入し、そのエアーの圧力によって抜型６…からキャップ成形品１…が排出されて底板１２の上に落下する。
【００２３】
【発明の効果】
請求項１記載の本発明のバリ除去装置は、注射針用キャップ成形品からバリを効率的に除去することができる。そして、機構がシンプルなので低コストで製造することができる。
また、請求項２記載の本発明のバリ除去装置は、スプリングの力で押え板をバリに当接させてキャップ成形品が抜き型に挿入した状態を維持できるので、ピンをキャップ成形品からスムースに抜き取ることができる。
また、請求項３記載の本発明のバリ除去装置は、抜型からキャップ成形品を容易に且つ効率的に排出することができる。
【図面の簡単な説明】
【図１】バリ除去装置にバリ付きのキャップ成形品をセットした状態を示す断面図である。
【図２】バリ除去装置の抜型にキャップ成形品を挿入してからピンがキャップ成形品から抜け出した状態を示す断面図である。
【図３】バリの背面側に受板を当接して抜型によりバリを切断する状態を示す断面図である。
【図４】抜型からキャップ成形品を排出させる装置の断面図である。
【図５】バリが付いている状態のキャップ成形品の一部破断側面図である。
【符号の説明】
１  キャップ成形品
２  バリ
３  ピン
４  押え板
５  刃部
６  抜型
７  スプリング
８  基板
９  ガイド軸
１０  支持板
１１  貯蔵箱
１２  底板
１３  掛止部
１４  密閉空間
１５  蓋
１６  エアー吹込口
１７  受板
【図１】
2004181900.tif 000003
【図２】
2004181900.tif 000004
【図３】
2004181900.tif 000005
【図４】
2004181900.tif 000006
【図５】
2004181900.tif 000007